(57)【要約】【課題】複数の１本立ち胡蝶蘭、あるいは、１本立ち胡蝶蘭と他の洋蘭からなる鉢植蘭との組合せ、あるいは、複数の鉢植蘭を収納するのにより適した鉢植蘭用箱及び当該鉢植蘭用箱に各種の洋蘭が収納された状態の箱入り鉢植蘭を提供することを目的とする。【解決手段】段ボールから形成され、上側の面を形成する上面部２と、前側の側面を形成する前面部３と、後ろ側の側面を形成する後面部４と、横側の両側側面を形成する側面部６と、底面を形成する底面部５を備え、上面部２には、横方向に並べて形成され鉢植蘭の鉢部１１０を収納可能な複数の収納穴１１、１２、１３を備え、収納穴１１、１２、１３は、収納穴１１、１２、１３の縁に鉢部１１０を支える弾性支持部を備えている。【選択図】図１
2020117298.tif 000002
【特許請求の範囲】
【請求項１】
段ボールから形成され、上側の面を形成する上面部と、前側の側面を形成する前面部と、後ろ側の側面を形成する後面部と、横側の両側側面を形成する側面部と、底面を形成する底面部を備え、
前記上面部には、横方向に並べて形成され鉢植蘭の鉢部を収納可能な複数の収納穴を備え、
前記収納穴は、当該収納穴の縁に前記鉢部を支える弾性支持部を備えていることを特徴とする鉢植蘭用箱。
【請求項２】
請求項１に記載の鉢植蘭用箱において、
当該鉢植蘭用箱は、逆角錐台の形状であることを特徴とする鉢植蘭用箱。
【請求項３】
請求項１又は請求項２に記載の鉢植蘭用箱において、
前記弾性支持部は、複数の切込みを入れることで形成される収納穴折曲部を下側に曲げることにより形成されることを特徴とする鉢植蘭用箱。
【請求項４】
請求項１から請求項３のいずれか一項に記載の鉢植蘭用箱において、
前記収納穴は、横方向に並んだ隣り合う収納穴のうち一部の収納穴を前後方向でずらした位置で構成されることを特徴とする鉢植蘭用箱。
【請求項５】
請求項１から請求項４のいずれか一項に記載の鉢植蘭用箱であって、
底面部の両側から立ち上がり、かつ、穴を有する側面補強部を備え、
前記側面補強部の上側は、折り曲げて下側に折り返す折曲部を備え、
前記側面部には、切り込みを入れて上側に折り曲げ前記側面補強部の前記穴を貫通する把手部折曲部を備え、
前記折曲部の下側端部は、前記把手部折曲部の上面と当接するように配置されることを特徴とする鉢植蘭用箱。
【請求項６】
請求項１から請求項５のいずれか一項に記載の鉢植蘭用箱であって、
前記前面部は前記上面部と連続した状態から折り曲げて形成し、前記後面部は前記上面部と連続した状態から折り曲げて形成し、前記側面部は前記上面部と連続した状態から折り曲げて形成し、前記底面部は前記前面部又は前記後面部と連続した状態から折り曲げて形成し、
当該鉢植蘭用箱を形成する段ボールは、前記収納穴が並んでいる横方向が流れ方向であることを特徴とする鉢植蘭用箱。
【請求項７】
段ボールから形成され、上側の面を形成する上面部と、前側の側面を形成する前面部と、後ろ側の側面を形成する後面部と、横側の両側側面を形成する側面部と、底面を形成する底面部を有し、前記上面部には、横方向に並べて形成され鉢植蘭の鉢部を収納可能な複数の収納穴を有する、鉢植蘭用箱と、
前記鉢植蘭用箱の前記収納穴のそれぞれに収納される複数の鉢植蘭と、を備え、
前記鉢植蘭用箱は、逆角錐台の形状であり、
前記鉢植蘭は、鉢部に１株又は数株の洋蘭を植えて構成されていることを特徴とする箱入り鉢植蘭。
【請求項８】
請求項７に記載の箱入り鉢植蘭であって、
前記鉢植蘭用箱の前記上面部は、前記鉢部の７割以上の高さの位置で形成されていることを特徴とする箱入り鉢植蘭。
【請求項９】
請求項７又は請求項８に記載の箱入り鉢植蘭であって、
前記鉢植蘭の前記鉢部に用いる鉢本体の材質は陶磁器又はガラス製であることを特徴とする箱入り鉢植蘭。
【発明の詳細な説明】
【技術分野】
【０００１】
本発明は、鉢植蘭用箱及び箱入り鉢植蘭に関し、特に、複数の１本立ち胡蝶蘭、あるいは、１本立ち胡蝶蘭と他の鉢植蘭との組合せ、あるいは、複数の鉢植蘭を収納可能な鉢植蘭用箱及び当該鉢植蘭用箱に胡蝶蘭等の鉢植蘭が収納された状態の箱入り鉢植蘭に関する。
【背景技術】
【０００２】
胡蝶蘭には１本立ち胡蝶蘭や複数本立ち胡蝶蘭がある。１本立ち胡蝶蘭は生産者が１つの鉢に１株の胡蝶蘭で植え付けを行う。一方、複数本立ち胡蝶蘭の場合は生産者が１つの鉢に複数の株の胡蝶蘭で植え付けを行う。ここで、複数本立ち胡蝶蘭は、生産者があらかじめ複数の株を決めて植付けする必要がある。
【０００３】
特許文献１には、３本立ちないしは５本立ちの胡蝶蘭等の集合体としての利用もでき、且つ１本立ち胡蝶蘭としても利用可能な胡蝶蘭の集合体に関する技術が記載されている。
【０００４】
特許文献２には、１つの植木鉢に同品種または異種の観賞用花卉をポット苗の状態で複数個寄植えするための固定具に関する技術が記載されている。
【０００５】
特許文献３には、比較的小型の鉢植を生産者から市場に搬送する流通過程で使用する鉢植輸送用ケースに関する技術が記載されている。
【０００６】
また、胡蝶蘭を含む洋蘭には、デンドロビューム、シンビジューム、デンファレ、オンシジューム等があり、これらを１つの鉢に寄植えし商品として販売している例もある。
【先行技術文献】
【特許文献】
【０００７】
【特許文献１】実用新案登録第３２１００３９号公報
【特許文献２】実用新案登録第３１１７６４７号公報
【特許文献３】特開平８−２９５３８１号公報
【発明の概要】
【発明が解決しようとする課題】
【０００８】
１本立ち胡蝶蘭だけでは、豪華さという点で見栄えに限界がある。また、複数本立ち胡蝶蘭の場合は、あらかじめ生産者により植え付けが行われているため、購入者が購入する際に希望する品種を選択することができなかった。さらに、複数本立ち胡蝶蘭の場合、各胡蝶蘭の生育状態を一致させる等の生産の手間がかかると共に、一部の胡蝶蘭の損傷が生じた場合は、鉢全体の商品価値が低下してしまう。また、複数本立ち胡蝶蘭の場合、鉢の大きさも大きく、置き場所の問題や鑑賞後の鉢の処分の問題も生じる。
【０００９】
一方、特許文献１で開示されている構成は、１本立ち容器ついては、ビニールポットと外側のプラスチック容器の二重構造であり、植え替えが必要になるなどの煩雑さが予想され、贈答用として不向きであると言える。さらに、集合容器は、段ボールによる構成は開示されておらず、この構成を実現するためには、樹脂などにより型を起こす必要があると考えられる。このため、初期コストが高くなる恐れがあると共に、廃棄の際はかさばるものとなる。また、集合容器自体で美観については記載されていない。さらに、外側のプラスチック容器を伴う胡蝶蘭の集合体を梱包して輸送することは想定されていない。
【００１０】
また、特許文献２では、ポット苗の状態で固定具に寄植えする構成であり、植え替えが必要になるなどの煩雑さが予想され、贈答用として不向きであると言える。さらに、固定具は、段ボールによる構成は開示されておらず、この構成を実現するためには、樹脂などにより型を起こす必要があると考えられる。このため、初期コストが高くなる恐れがあると共に、廃棄の際はかさばるものとなる。また、固定具は、突子の周囲でポット苗を受ける構成であり、密度が高く胡蝶蘭の花同士が干渉するおそれも生じる。
【００１１】
また、特許文献３には、折り畳み可能な段ボール紙材による構成が記載されているものの、比較的小型の鉢植を前提としており、胡蝶蘭等の鉢植蘭については記載されていない。さらに、箱体の上面板は、鉢植の半分程度までであり、比較的高さの高い鉢を有する胡蝶蘭等の鉢植蘭に対応することの記載はない。また、段ボール紙材は、箱体の側面板で補強リブとしての機能を持たせているのみであり、これ以外に重い鉢に対応した強度に関する記載はない。また、市場に搬送することを目的としており、観賞の目的については記載されていない。さらに、鉢植輸送用ケースに梱包して輸送することは想定されていない。
【００１２】
さらに、１つの鉢に、胡蝶蘭と他の洋蘭、複数の洋蘭を寄植えした商品においては、生産者が予め寄植えする洋蘭の種類を選定して鉢に植えつけて商品化しており、購入者が自由に洋蘭を選定することができなかった。なお、１つの鉢に植えつける洋蘭を選定した場合、寄植え作業を行った後に商品として発送することとなり、納品までに時間を要することになる。さらに、寄植えされた鉢は比較的大きいことから、寄植えされたそれぞれの洋蘭を個別に飾りたい場合には、植替え作業が必要となる等の問題があった。
【００１３】
本発明は、上記課題に鑑みて、複数の１本立ち胡蝶蘭、あるいは、１本立ち胡蝶蘭と他の洋蘭からなる鉢植蘭との組合せ、あるいは、複数の鉢植蘭を収納するのにより適した鉢植蘭用箱及び当該鉢植蘭用箱に各種の洋蘭を植え付けた鉢植蘭が収納された状態の箱入り鉢植蘭を提供することを目的とする。
なお、前記１本立ち胡蝶蘭は、１つの鉢に１株の胡蝶蘭が植付けられたものをいう。また、鉢植蘭は、１つの鉢に一種類の洋蘭を最少株数植付けたものをいう。
【課題を解決するための手段】
【００１４】
上記目的を達成するため、代表的な本発明の鉢植蘭用箱の一つは、段ボールから形成され、上側の面を形成する上面部と、前側の側面を形成する前面部と、後ろ側の側面を形成する後面部と、横側の両側側面を形成する側面部と、底面を形成する底面部を備え、前記上面部には、横方向に並べて形成され鉢植蘭の鉢部を収納可能な複数の収納穴を備え、前記収納穴は、当該収納穴の縁に前記鉢部を支える弾性支持部を備えていることを特徴とする。
【００１５】
さらに本発明の鉢植蘭用箱の一つは、当該鉢植蘭用箱は、逆角錐台の形状であることを特徴とする。
さらに本発明の鉢植蘭用箱の一つは、前記弾性支持部は、複数の切込みを入れることで形成される収納穴折曲部を下側に曲げることにより形成されることを特徴とする。
さらに本発明の鉢植蘭用箱の一つは、前記収納穴は、横方向に並んだ隣り合う収納穴のうち一部の収納穴を前後方向でずらした位置で構成されることを特徴とする。
【００１６】
さらに本発明の鉢植蘭用箱の一つは、底面部の両側から立ち上がり、かつ、穴を有する側面補強部を備え、前記側面補強部の上側は、折り曲げて下側に折り返す折曲部を備え、前記側面部には、切り込みを入れて上側に折り曲げ前記側面補強部の前記穴を貫通する把手部折曲部を備え、前記折曲部の下側端部は、前記把手部折曲部の上面と当接するように配置されることを特徴とする。
さらに本発明の鉢植蘭用箱の一つは、前記前面部は前記上面部と連続した状態から折り曲げて形成し、前記後面部は前記上面部と連続した状態から折り曲げて形成し、前記側面部は前記上面部と連続した状態から折り曲げて形成し、前記底面部は前記前面部又は前記後面部と連続した状態から折り曲げて形成し、当該鉢植蘭用箱を形成する段ボールは、前記収納穴が並んでいる横方向が流れ方向であることを特徴とする。
【００１７】
また、代表的な本発明の箱入り鉢植蘭の一つは、段ボールから形成され、上側の面を形成する上面部と、前側の側面を形成する前面部と、後ろ側の側面を形成する後面部と、横側の両側側面を形成する側面部と、底面を形成する底面部を有し、前記上面部には、横方向に並べて形成され鉢植蘭の鉢部を収納可能な複数の収納穴を有する、鉢植蘭用箱と、前記鉢植蘭用箱の前記収納穴のそれぞれに収納される複数の鉢植蘭と、を備え、前記鉢植蘭用箱は、逆角錐台の形状であり、前記鉢植蘭は、鉢部に１株又は数株の洋蘭を植えて構成されていることを特徴とする。
さらに本発明の箱入り鉢植蘭の一つは、前記鉢植蘭用箱の前記上面部は、前記鉢部の７割以上の高さの位置で形成されていることを特徴とする。
さらに本発明の箱入り鉢植蘭の一つは、前記鉢植蘭の前記鉢部に用いる鉢本体の材質は陶磁器又はガラス製であることを特徴とする。
【発明の効果】
【００１８】
本発明によれば、鉢植蘭用箱において、洋蘭が植付けられた複数の鉢を収納するのにより適した鉢植蘭用箱とすることができる。
また、本発明の箱入り鉢植蘭によれば、購入者が自由に選択した複数の鉢植蘭をまとめて、あたかも１つの寄植した商品とすることができるとともに、各鉢植蘭を個別に飾ることができる。
上記した以外の課題、構成及び効果は、以下の実施形態の説明により明らかにされる。
【図面の簡単な説明】
【００１９】
【図１】本発明の鉢植蘭用箱の一実施形態を示す斜視図である。
【図２】本発明の鉢植蘭用箱の一実施形態を示す平面図である。
【図３】本発明の鉢植蘭用箱の一実施形態を示す側面図である。
【図４】本発明の鉢植蘭用箱の一実施形態を示す展開図である。
【図５】本発明の鉢植蘭用箱に収納可能な鉢植蘭としての一例を示す側面から見た斜視図である。
【図６】本発明の鉢植蘭用箱に収納可能な１本立ち胡蝶蘭の鉢部の一例を示す断面図である。
【図７】本発明の鉢植蘭用箱の一実施形態を示す正面図である。
【図８】本発明の１本立ち胡蝶蘭を収納した場合の箱入り鉢植蘭の一実施形態を示す正面側から見た斜視図である。
【図９】本発明の箱入り鉢植蘭を梱包箱に収納した状態の一例を示す正面側から見た斜視図である。
【発明を実施するための形態】
【００２０】
本発明を実施するための形態を説明する。
【００２１】
図１は、本発明の鉢植蘭用箱の一実施形態を示す斜視図である。図１の上下方向はそのまま鉢植蘭用箱の上下方向（高さ方向）になり、図１の左右方向もそのまま鉢植蘭用箱の左右方向（横方向）になる。
【００２２】
鉢植蘭用箱１は段ボール製の六面体で、上側の面を形成する上面部２、前側の側面を形成する前面部３、後ろ側の側面を形成する後面部４、底面を形成する底面部５、横側の両側側面を形成する両側の２つの側面部６で構成されている。上面部２と底面部５はいずれも横方向を長手方向とする長方形で互いに平行である。また底面部５の面積は、上面部２の面積よりも小さい。ただし、底面部５の前後方向の幅は後述する鉢部１１０の底面の前後方向の辺以上の大きさに形成されている。また、前面部３、後面部４、側面部６はいずれも、上面部２から底面部５に行くに従い内側に向けて傾斜している。また、前面部３、後面部４、側面部６は、上面部２と底面部５の各辺の長さに合わせるため、上側の辺よりも下側の辺の長さが短くなる台形となっている。鉢植蘭用箱１は、左右対称に形成されている。
【００２３】
このように、鉢植蘭用箱１は、全体として逆四角錐台のような形状となっている。これにより、直方体の段ボール箱よりも見栄えがよく、贈答用により適した形状と言える。また、鉢植蘭用箱１が逆四角錐台であることにより、鉢植蘭を備えた状態で、搬送用箱の収納穴へ収納する際の作業が容易となる。
【００２４】
上面部２には、左収納穴１１、中央収納穴１２、右収納穴１３の３つの貫通した穴が形成されている。これらの穴の大きさや形はいずれも同じであり、本実施形態では正方形の例を示している。これらの穴は横方向に並んで形成されており、中央収納穴１２のみ後方にずれて配置されている。各収納穴１１、１２、１３には、いずれも、正方形の穴の辺にそって形成された４つの収納穴折曲線１６で下側に折り曲げる４つの収納穴折曲部１５が形成されている。これは、後述するように各収納穴１１、１２、１３の対角線に沿って切り込みを入れることで、形成可能となっている。なお、図１では、収納穴折曲部１５が（下側まででなく）途中まで折り曲がっている状態を示している。
【００２５】
両側の２つの側面部６には、それぞれ把手部２１が形成されている。把手部２１は、穴状に形成されておりここに手を入れて持ち運びができる構成となっている。
【００２６】
図２は、本発明の鉢植蘭用箱の一実施形態を示す平面図である。図２の上下方向は鉢植蘭用箱の前後方向になり、図２の左右方向は鉢植蘭用箱の左右方向（横方向）になる。図２を用いて各収納穴１１、１２、１３の位置関係について説明する。
【００２７】
左収納穴１１と中央収納穴１２、中央収納穴１２と右収納穴１３の間は、それぞれ横方向に距離Ａだけ離れており仕切部１８が形成されている。仕切部１８により、隣り合う鉢同士が接触して破損することを防止できる。ここで、距離Ａは、仕切部１８の距離と全体的な大きさにより決めることができる。例えば、距離Ａは、各収納穴１１、１２、１３の横方向の辺の長さに対して、１０％以上、又は１５％以上として仕切部１８の距離を確保し、５０％以下、又は３０％以下、又は２０％以下として、全体として大きくなりすぎないようにする。
【００２８】
また、中央収納穴１２の位置は、隣り合う左収納穴１１及び右収納穴１３よりも後方へ距離Ｂだけずれている。これにより、中央収納穴１２と左収納穴１１の間の仕切部１８の前後方向の距離、及び、中央収納穴１２と右収納穴１３の間の仕切部１８の前後方向の前後方向の距離は、中央収納穴１２をずらさない場合と比べて、距離Ｂ分だけ短くすることができる。これにより、仕切部１８の強度を上げることができる。ここで、距離Ｂは、仕切部１８の強度と鉢植蘭が並んだ時の配置等により決めることができる。例えば、距離Ｂは、各収納穴１１、１２、１３の前後方向の辺の長さに対して、５％以上、又は１０％以上として仕切部１８を短くして強度を確保し、５０％以下、又は３０％以下、又は２０％以下として、全体としてずれすぎないようにする。
【００２９】
図３は、本発明の鉢植蘭用箱の一実施形態を示す側面図である。図３の上下方向は鉢植蘭用箱の上下方向になり、図３の左右方向は鉢植蘭用箱の前後方向になる。
【００３０】
側面部６には、前後方向の中心付近で、上下方向の中央よりやや上付近に把手部２１が形成されている。例えば側面部６の下から６割から９割の間程度の位置である。把手部２１は、指が３本以上入るように前後方向の長さが確保されているとよい。把手部２１は、側面部６に穴が形成されているがこの上部は、把手部折曲部２２で形成されており、単に段ボールの切断面で構成するよりも手を切りにくいものとなっている。
【００３１】
また、側面部６の内側には側面補強部２５が、側面部６に沿って形成されている。側面補強部２５は、底面部５から上部に延びて形成されており、後述する折曲部２７や穴２６により把手部折曲部２２の上部を補強する構成となっている。このようにして、側面部６、把手部２１及び鉢植蘭用箱１全体の上下方向の強度を増すことができる。
【００３２】
図４は、本発明の鉢植蘭用箱の一実施形態を示す展開図である。図４の上下方向は展開図の前後方向になり、図４の左右方向は展開図の左右方向（横方向）になる。
【００３３】
鉢植蘭用箱１は１枚の段ボールから形成可能である。図４は、その展開図を示している。この図では、切り込みは実線、折り曲げる部分を一点鎖線で記載されている。なお、切り込みは、段ボールを貫通している。
【００３４】
上面部２には、上述した各収納穴１１、１２、１３を形成するため、各収納穴１１、１２、１３の縁の形状に沿った部分が収納穴折曲線１６となっている。各収納穴１１、１２、１３に相当するそれぞれの収納穴折曲線１６は、四角形特に正方形で構成されており、これらの対角線に収納穴切込み１７を入れる。このことで、各収納穴１１、１２、１３ごとに４つずつ収納穴折曲部１５が形成される。収納穴折曲線１６に沿って収納穴折曲部１５を下側に折ることで（山折りすることで）、各収納穴１１、１２、１３が形成される。
【００３５】
前面部３は、上面部２の前側に連続して形成されており、上面部２と前面部３との間の折曲線３１で下側に折って（山折りして）形成される。ここで、前面部３は底面部５とも連続していることで前から見て前面部３と上面部２、前面部３と底面部５の間の切れ目が存在せずに見栄えがよくなる。
【００３６】
後面部４は、上面部２の後ろ側に連続して形成されており、上面部２と後面部４の間の折曲線３２で下側に折って（山折りして）形成される。さらに、後面部４の後ろ側には、２箇所に差込部４１が形成されている。差込部４１は、後面部４より一部が突出する突出部として形成されており、折曲線４６で内側に折って（山折りして）、前面部３と延長部５１の間の挿入穴５２に差し込むように形成されている。これにより差込部４１は、底面部５の内側に位置するようになる。なお、差込部４１に逆刺（かえり）を設けて挿入穴５２から容易に抜けないように構成することができる。
【００３７】
底面部５は、前面部３の前側に連続して形成されており、前面部３と底面部５との間の折曲線３３で内側に折って（山折りして）形成される。さらに、底面部５の前側には、横方向全体に渡って延長する延長部５１が形成されている。そして、延長部５１は、底面部５と延長部５１の間の折曲線３４で上側に折って（山折りして）後面部４のすぐ内側に来るように形成される。ここで、折曲線３４の一部の２箇所には挿入穴５２が切り込みとして形成され、差込部４１が挿入可能に形成されている。
【００３８】
側面補強部２５は、底面部５の横方向両側に、底面部５の前後方向全体に渡って、底面部５の前後方向の幅と同じ幅で形成されている。側面補強部２５は底面部５との間の折曲線３５で上側に折って（山折りして）側面部６の内側に来るように形成される。ここで、折曲線３５の中央付近の一部には挿入穴５３が切り込みとして形成され、差込部４２が挿入可能に形成されている。
【００３９】
さらに、側面補強部２５は、途中に穴２６が形成されており、この穴２６は、鉢植蘭用箱１を形成したとき把手部２１の穴（切り込み２３）と一致する位置に形成されている。さらに、側面補強部２５において、穴２６よりも端部側には折曲線３６が形成されている。折曲線３６よりも端部側は折曲部２７となっており、外側に折り返して（谷折りして）形成される。ここで、穴２６の上端部２６ａから折曲線３６までの距離Ｌは、折曲線３６から折曲部２７の端部２７ａまでの距離Ｌと同じである。これにより、鉢植蘭用箱１の状態では、端部２７ａが把手部折曲部２２の上面に当接するようにできる。また、折曲線３５と折曲線３６の距離は、側面部６の高さ方向（展開図では左右方向）の長さよりも短い。
【００４０】
側面部６は、上面部２の両側に連続して形成されており、上面部２と側面部６との間の折曲線３７で下側に折って（山折りして）形成される。側面部６の途中には把手部２１を形成するためのコの字型の切り込み２３が形成されており、把手部折曲部２２が形成される。コの字型の切り込み２３に対して、把手部２１の上部を形成する部分は把手部折曲線２４となっており、側面部６とつながっている。把手部折曲部２２を把手部折曲線２４で内側に折る（山折りする）ことにより、把手部折曲部２２がほぼ水平に形成され把手部２１の穴の上側を形成する。また、切り込み２３により把手部２１の穴の横側と下側とを形成する。
【００４１】
さらに、側面部６の左右の両端部（鉢植蘭用箱１の状態では下側端部）には、差込部４２が形成されている。差込部４２は、側面部６より一部が突出する突出部として形成されており、折曲線４７で内側に折って（山折りし）、底面部５と側面補強部２５の間の挿入穴５３に差し込むように形成されている。これにより差込部４２は、底面部５の内側に位置する。なお、差込部４２に逆刺（かえり）を設けて挿入穴５３から容易に抜けないように構成することができる。
【００４２】
さらに、側面部６の前後方向の両側には、側面差込部４３が形成されている。側面差込部４３は、側面部６の高さ方向（展開図では左右方向）全体に渡って、所定距離だけ延長するように形成されている。両側の側面差込部４３は側面部６との間の折曲線４８を内側に折って（山折りして）、前面部３及び後面部４のすぐ内側に来るように形成される。
【００４３】
また、段ボールは、一般的に、表ライナと裏ライナの間に中芯を挟んで形成される。中芯は波形に形成した原紙を用いている。ここで、波形が連続して形成される方向が流れ方向となり、波形が変化しない方向が紙巾方向となる。そして、紙巾方向の方が流れ方向よりも強度が高い方向となる。図４の展開図においては、横方向であるＸ方向を流れ方向とし、前後方向であるＹ方向を紙巾方向とする。これによりＹ方向の方がＸ方向よりも強度が高くなる。
【００４４】
これらの構成により鉢植蘭用箱１を形成したとき、高さ方向は段ボールの強度の高いＹ方向となる前面部３と後面部４で支え、底面部５の荷重を支えることができる。また、側面部６の高さ方向は、段ボールの強度が低いＸ方向となるが、側面補強部２５が形成されているため、これにより強度を保つことができる。また、上面部２では、仕切部１８の長手方向（前後方向）が段ボールの強度の高いＹ方向となるため、仕切部１８の強度を確保できる。
【００４５】
このように、鉢植蘭用箱１は１枚の段ボールから形成できることにより、コストを抑えることができ、収納スペースをとらずにあらかじめ用意しておくことができる。また廃棄の際も容易となる。
【００４６】
図５は、本発明の鉢植蘭用箱に収納可能な鉢植蘭としての一例を示す側面から見た斜視図である。図５の右側が前方向となる。ここでは鉢植蘭の例として１本立ち胡蝶蘭を示す。
【００４７】
１本立ち胡蝶蘭１００は、１株の胡蝶蘭１２０を鉢部１１０に植付けた鉢植蘭である。鉢部１１０の上部から花茎１２１がのびており、花茎１２１は上部に立ち上がる花茎立上部１２１ａと、花茎立上部１２１ａから前側に湾曲して下側に垂れ下がる花茎垂下部１２１ｂを有している。花茎垂下部１２１ｂには、花芽が付いており、胡蝶蘭の花１２２は花茎垂下部１２１ｂの上部から下部（先端部）に向かって交互に花１２２が位置している。なお、胡蝶蘭１２０の鉢部１１０よりも上側の高さは、鉢部１１０の高さの約２倍以上である。
【００４８】
また、鉢部１１０の上部からは支持具１１７が花茎１２１に沿って設けられている。花茎１２１は支持具１１７に対して所定間隔で設けられた止め具１１８により複数箇所で支持されている。これにより、花茎１２１の位置を決めることができる。止め具１１８は、例えばテープを利用できる。
【００４９】
また、鉢部１１０で用いられる鉢本体１１１は、図５の例では、逆四角錐台の形状のものが用いられており、水平断面が略正方形で上部から底部１１１ａに行くに従い断面積が小さくなっている。また、鉢部１１０は、株の高さ調整もできるようにするために、ある程度以上の高さを備えている。これにより、鉢部１１０の形状は、１本立ち胡蝶蘭１００の室内の観賞用として外観のよい形状となる。また、鉢本体１１１は上部に比べて底部１１１ａの水平断面積が小さいため、各収納穴１１、１２、１３に納め易くなっている。また、断面が四角形なので、位置を決めやすい形状になっている。また、各収納穴１１、１２、１３は、鉢本体１１１の断面の形状に合わせて正方形となっている。
【００５０】
図６は、本発明の鉢植蘭用箱に収納可能な１本立ち胡蝶蘭の鉢部の一例を示す断面図である。この図では垂直面により切断している。
【００５１】
鉢部１１０は、鉢本体１１１内に、底から鉢底詰物１１２を入れてその上に植込み材料１１３が収納されている容器１１４が配置されている。そして、胡蝶蘭１２０は、植込み材料１１３に植えられている。
【００５２】
鉢本体１１１は上部が開口して中が空洞の形状であり、周囲側面と底部が覆われている。外形は図５で説明した通りである。また、鉢本体１１１の底部１１１ａには水はけ用の穴１１１ｂが設けられている。鉢本体１１１は、所定以上の重さがあることで、１本立ち胡蝶蘭１００単独で置いたときでも、安定性が高く鑑賞することができる。このため、鉢本体１１１の材質は、プラスチックや紙よりも、陶磁器（土器、せっ器、陶器、磁器、素焼き等）やガラス製等の重さのある鉢がよりふさわしい。
【００５３】
鉢底詰物１１２は、鉢本体１１１内部で、底部１１１ａから所定の高さまで設けられ、鉢本体１１１内の空洞を埋めるように形成される。鉢底詰物１１２は、植込み材料１１３や容器１１４の下面までの高さを調整するために用いることができる。このため、鉢底詰物１１２は、底部から必要に応じて高さの異なる部材を利用して高さを変化させることができる。また、支持具１１７は、植込み材料１１３や容器１１４を貫通して鉢底詰物１１２内まで到達している。そして、鉢底詰物１１２内では、支持具１１７の下側の先端が折れ曲がった折れ部１１７ａを有している。これにより、支持具１１７が容易に抜けることを防止している。また、鉢底詰物１１２は例えば、発泡スチロール等を用いることができる。
【００５４】
植込み材料１１３は、バーク、水苔、ヤシ殻などの材料を用いて保水を行う。植込み材料１１３内には、１本立ち胡蝶蘭１００の根が形成される。植込み材料１１３は、鉢本体１１１内において、鉢底詰物１１２より上側から鉢本体１１１の上部付近まで設けられている。
【００５５】
また、必要に応じて容器１１４を用いて、植込み材料１１３を保持する。容器１１４は、上部が開口して中が空洞の形状であり、周囲側面と底部が覆われている。容器１１４の側面は鉢本体１１１の側面の内側に位置し、容器１１４の底部は鉢底詰物１１２の上部に位置する。容器１１４の底部に水はけ用の穴１１４ａが設けられている。容器１１４は、例えば、ビニールポットを用いることができる。また、容器１１４を用いない構成でも適用することができる。
【００５６】
図７は、本発明の鉢植蘭用箱の一実施形態を示す正面図である。図７の上下方向は鉢植蘭用箱の上下方向になり、図７の左右方向は鉢植蘭用箱の左右方向（横方向）になる。
【００５７】
図７では、鉢部１１０（鉢本体１１１）を鉢植蘭用箱１の各収納穴１１、１２、１３に収納した状態を示しており、それより上部は図示を省略している。収納は鉢部１１０を上から下ろしていき各収納穴１１、１２、１３を通すことにより収納することができる。このとき、鉢部１１０（鉢本体１１１）の底部は、鉢植蘭用箱１の底面部５まで達する。
【００５８】
各収納穴１１、１２、１３の大きさ及び形状は、鉢部１１０が入る大きさや形状に合わせているため、鉢部１１０の位置を決めることができる。さらに、鉢部１１０の４つの側面は、いずれも下側に折れ曲がった収納穴折曲部１５が当接している。このとき、収納穴折曲部１５の上側への弾性による復元力により、収納穴折曲部１５から鉢部１１０の側面へある程度の力がかかっている。これらの構成により、鉢部１１０がぐらつかないように、より確実に収納することができる。すなわち、収納穴折曲部１５は鉢部１１０に対して弾性支持部としての機能を果たしている。
【００５９】
なお、前記収納穴折曲部１５の上側への復元力は、素材の段ボール自体の強度等によって異なる。よって、この復元力が弱い場合、鉢部１１０がぐらつくことが予想される。このような場合、上面部２の裏側に、各収納穴１１、１２、１３と同様の穴を形成した補強板を設けることも考えられる。この補強板は、段ボール製とし、その穴の縁にはスポンジあるいはフェルト等のクッション材を設けて、収納穴折曲部１５の復元力を補助するように構成してもよい。また、この補強板の穴を各収納穴１１、１２、１３よりも僅かに小さく形成し、当該穴の縁に複数の切れ目を入れて、上記のクッション材と同等の役割を兼ねる構造とすることもできる。
【００６０】
上面部２の高さ方向の位置、すなわち各収納穴１１、１２、１３の高さ方向の位置は、鉢部１１０の高さよも低い位置であることにより、鉢部１１０を支えることができる。さらに、上面部２の高さを鉢部１１０の高さよりも６割以上、又は７割以上、又は８割以上、又は９割以上として、高さを高い位置にしていくことにより、より安定して鉢部１１０を支えることができる。一方、鉢部１１０を取り出しやすくするために、９割以下としてもよい。例えば、７割以上９割以下の範囲とすれば、安定した固定と取り出しやすさを両立することができる。
【００６１】
側面差込部４３は、左右の側面部６の前後方向の両側に設けられており、側面部６に対して内側に折り曲げることで側面部６の強度を増強することができる。さらに、側面差込部４３は、前面部３と後面部４それぞれのすぐ内側に位置するため、側面部６と前面部３の角部、側面部６と後面部４の角部で隙間ができることを防止する。
【００６２】
側面補強部２５は、側面部６よりも内側で底面部５から立ち上がっている。上部は折曲線３６になっており折曲部２７は、上面部２よりも低い位置で外側に折り返して折り曲げられている。一方、把手部折曲部２２は、側面部６よりも内部へ向けて水平程度まで上側に折り曲げられている。これにより、把手部折曲部２２の折り曲げる前の部分が、側面部６の把手部２１用の穴となる。この穴と側面補強部２５の穴２６は側面からみて、位置がほぼ一致しており、折り曲げた把手部折曲部２２は、側面補強部２５の穴２６を貫通するように構成される。そして、折曲部２７が折り曲がった状態で下側の端部２７ａは、把手部折曲部２２の上側の面が当接する位置関係となっている。
【００６３】
上記の構成により、鉢植蘭用箱１を持ち上げる場合、指を把手部２１の穴に指を入れて、上部の把手部折曲部２２に指をかけることで上に持ち上げることができる。このとき、鉢部１１０からの重さが底面部５にかかるが、側面部６は側面差込部４３により増強されており重さを支えることができる。さらに、把手部折曲部２２の上面は、折曲部２７及び穴２６の上側と当接する。これにより、把手部折曲部２２からの上方向の力は折曲部２７及び穴２６を介して側面補強部２５から底面部５へと伝わり重さを支えることができる。このように、鉢植蘭用箱１は、重い鉢部１１０でも重さを支えることができる。
【００６４】
なお、差込部４１により底面部５と後面部４の確実な固定を可能とし、延長部５１により底面部５と後面部４の角部で隙間ができることを防止する。また、差込部４２により底面部５と側面部６の確実な固定を可能とし、側面補強部２５により底面部５と側面部６の角部で隙間ができることを防止する。
【００６５】
図８は、本発明による複数の１本立ち胡蝶蘭からなる箱入り鉢植蘭の一実施形態を示す正面側から見た斜視図である。
【００６６】
箱入り鉢植蘭２００は、鉢植蘭用箱１の各収納穴１１、１２、１３に３つの１本立ち胡蝶蘭１００の鉢部１１０をそれぞれ収納している状態である。このような構成とすることで次の利点が存在する。
【００６７】
まず、鉢植蘭用箱１の各収納穴１１、１２、１３は横方向に並んでいるため、３つの１本立ち胡蝶蘭１００により幅広く豪華な構成とすることができる。また、鉢植蘭用箱１の前後方向の幅は、大きな鉢を使用する複数本立ち胡蝶蘭よりも小さくでき、置き場所の選択の幅が広がる。
【００６８】
さらに、箱入り鉢植蘭２００の各１本立ち胡蝶蘭１００は、鉢植蘭用箱１から取り出して、単独で鑑賞することもできる。これにより、置き場の更なる選択の幅が広がる。また、一部の傷んだ胡蝶蘭を鉢ごと取り除くこともできる。また、例えば、箱入り鉢植蘭２００を飾ったイベントが終了した後に、参加した人等に１本立ち胡蝶蘭１００ごとで配ることもできる。
【００６９】
さらに、鉢植蘭用箱１の各収納穴１１、１２、１３には、品種の異なる（花の色、花の大きさ、花の数等が異なる）１本立ち胡蝶蘭１００を組み合わせて選択することができる。これにより、購入者の品種選択の自由度が高くなる。これに対して、複数本立ち胡蝶蘭の場合は、生産者があらかじめ複数の株の品種を決めて、植付けし育生する。このため、生産段階では購入者の希望は分からず、通常は豪華で大きく見える同種の胡蝶蘭による複数本立ち胡蝶蘭を選択して生産していた。これにより、購入者が別々の品種の複数本立ち胡蝶蘭を選ぶことは難しかった。さらに、鉢植蘭用箱１によれば、１本立ち胡蝶蘭以外の洋蘭（例えば、デンドロビューム、シンビジューム、デンファレ、オンシジューム等）の鉢植えを購入者が自由に選択し、組み合わせることができる。即ち、従来の寄植え商品に対して、購入者の洋蘭品種選択の自由度が高くなる。
【００７０】
さらに、箱入り鉢植蘭２００の１本立ち胡蝶蘭１００による構成のため、生育がやりやすい利点がある。例えば、一部の１本立ち胡蝶蘭１００の生育状態が異なっても、同じ生育状態の１本立ち胡蝶蘭１００を選択すればよいことになる。これに対して、複数本立ち胡蝶蘭の場合は、同じ鉢内で各株ごとに生育状態を一致させる必要があり手間がかかると共に、一部の株の花に損傷を付けた場合、鉢全体の商品価値が低下する。
【００７１】
また箱入り鉢植蘭２００においては、鉢植蘭用箱１の前面部３、後面部４、左右の側面部６の表面に模様を印刷したり、陶器表面を思わせるフィルム等を貼って鉢に似せた質感を出すことにより、鉢植蘭用箱１に鉢植蘭を収納した状態で飾ることもできる。一般的に鉢植蘭は、鉢周囲を包装紙でラッピングするが、前記のように鉢植蘭用箱１自体に装飾を施すことにより、ラッピングの簡略化や飾り付けの自由度を向上させることができる。
【００７２】
図８では、３つの並んだ１本立ち胡蝶蘭１００のうち、両側の１本立ち胡蝶蘭１００について、支持具１１７’を曲げることにより、上側に行くほど外側に傾斜した構成となっている。支持具１１７’に固定される花茎立上部１２１ａ’もそれに合わせて上側に行くほど外側に傾斜する構成となっている。一方、中央の１本立ち胡蝶蘭１００はそのままであり、左右に傾斜することはない。また、いずれの１本立ち胡蝶蘭１００も、花茎垂下部１２１ｂと花１２２は下方向にそのまま垂下している。
【００７３】
これらの構成により、１本立ち胡蝶蘭１００の重なりを少なくして、箱入り鉢植蘭２００全体として花１２２の幅を広げることができる。また、１本立ち胡蝶蘭１００単独で鑑賞するときは、支持具１１７’をまっすぐに直せば花茎立上部１２１ａ’もまっすぐとなる。
【００７４】
なお、上述した傾斜した支持具１１７’とするために補助曲げ部材を用いて必要な方向に曲げてもよい。また、補助曲げ部材を取り外すことにより、曲げた状態からまっすぐな状態に戻すようにしてもよい。
【００７５】
図８の３つ並んだ１本立ち胡蝶蘭１００のうち、両側の１本立ち胡蝶蘭１００について、支持具１１７’を外側へ曲げた例について説明したが、この形態に替えて、略水平方向に配置した補助支持具で、両側の１本立ち胡蝶蘭１００の支持具１１７’を外側へ曲げる構造としてもよい。この補助支持具は、支持具１１７’と同様な材質、強度を有するものとし、両側の１本立ち胡蝶蘭１００の支持具１１７’同士を連結する。その際、この補助支持具は、略水平方向にのびるように配置され、両端部付近で、外側へ曲げた状態で両側の支持具１１７’とそれぞれ連結して固定される。補助支持具と支持具１１７’との連結は、例えば、樹脂製の連結部材であって、補助支持具と支持具１１７’がほぼ十文字に交差した状態で嵌入される溝を有する構造を適用できる。また、クリップの様に弾性力で挟み込む構成で固定してもよい。
【００７６】
このような補助支持具を用いた場合、支持具１１７’は、その弾性により曲げることができ塑性変形等の永久変形で曲げる必要がない。このため、補助支持具を取り外すと、鉢本体１１１に対して支持具１１７’はほぼ垂直な位置に戻ることができる。さらに、花茎垂下部１２１ｂと花１２２が下方に垂下している状態において、隣り合う花茎垂下部１２１ｂが平行でない場合には、上述した補助支持具を用いて位置を調整して、隣り合う花茎垂下部１２１ｂをほぼ平行な状態に保持するようにしてもよい。
【００７７】
図９は、本発明の箱入り鉢植蘭を梱包箱に収納した状態の一例を示す正面側から見た斜視図である。
【００７８】
図９に示されるように梱包箱４００内に発送用土台３００を収納可能に構成されている。発送用土台３００は内部が空洞で周囲が直方体の形状で、例えば、段ボールや樹脂により形成することができる。発送用土台３００の上面部３０１に長方形の開口３０５が形成されている。開口３０５の面積は、鉢植蘭用箱１の上面部２よりも小さく底面部５よりも大きい。図に示すように、鉢植蘭用箱１を開口３０５に対して上から入れると、前面部３、後面部４、側面部６の途中で開口３０５の縁に当接して、それより下へは行かなくなるように開口３０５が形成されている。このとき、鉢植蘭用箱１の底面部５は浮いており、発送用土台３００の底面部３０２には達していない。そして、発送用土台３００ごと梱包箱４００に収納して発送することができる。梱包箱４００は、段ボール製等による直方体で発送用土台３００が底部にちょうど入る大きさとなっており、その上部の箱入り鉢植蘭２００全体を収納することができる。なお、発送用土台３００が取り出しやすいように梱包箱４００の前面や側面が開口できる構成としてもよい。
【００７９】
このような構成とすることで、安定して鉢植蘭用箱１を発送用土台３００に置くことができるので、箱入り鉢植蘭２００のぐらつきがない状態で梱包箱４００に収納して発送することができる。さらに、箱入り鉢植蘭２００を発送用土台３００から取り出す際も、鉢植蘭用箱１が発送用土台３００の上面部３０１よりも突出している上部突出部Ｈ１において、両側の側面部６等に手を当てて上側に引き出すことができるので、取り出しやすい構成となっている。このような構成は、鉢植蘭用箱１が上に行くほど水平断面積が大きくなる逆四角錐台の形状であることにより、より有効な効果を発揮することができる。また、逆四角錐台により、装飾やラッピングをしても１つの鉢のような形状に見えるので観賞用としての美観が優れたものとなる。
【００８０】
以上の様に、本発明の実施形態について説明してきたが、本発明は上記の実施形態に限定されるものではなく、上述した以外の様々な変形例も含まれる。例えば、上記した実施形態に設けられた全ての構成を備えるものに限定されるものではない。また、ある実施形態の構成の一部を削除したり、他の構成に置き換えたりすることも可能である。
【００８１】
例えば、鉢植蘭用箱１では、３つの各収納穴１１、１２、１３の例を示したがこれに限らず複数の収納穴で適用できる。例えば、２つ、４つ、５つ等である。また、４つ以上の場合は前後２列に収納穴を配置してもよい。また複数の収納穴が並んだ場合、隣合う収納穴のうち一部の収納穴を上記実施形態のようにずらして形成することができる。
【００８２】
また、鉢植蘭用箱１の各収納穴１１、１２、１３は、正方形の例を示したが、これ以外に長方形など正方形以外の四角形、さらには三角形、五角形、六角形等の多角形、さらには丸や楕円などの形状も適用できる。この場合、収納穴は、鉢本体の水平断面の形状に合わせることで、確実な位置決めができる。また、このときの収納穴の切り込みは、多角形であれば対角線とするか、又は多角形の中心から各頂点に切り込みを入れればいい。なお、ここで、多角形の中心は幾何中心や重心を適用できる。また、円や楕円であれば中心から所定角度ずつ切り込みをいれていけば、外側の形状を円や楕円に近くすることができる。
【００８３】
また、鉢植蘭用箱１の底面部５は、前面部３と連続した状態から折り曲げることで見栄えがよくなることを説明したが、強度上は後面部４と連続して折り曲げる構成も適用することができる。
【００８４】
また、鉢植蘭用箱１は逆四角錐台の形状を説明したが、これ以外の逆角錐台の形状でも適用することが可能である。
【００８５】
また、実施形態の説明においては、鉢植蘭用箱及び箱入り鉢植蘭として複数の１本立ち胡蝶蘭を例に説明したが、本発明は１本立ち胡蝶蘭に限定されるものではない。すなわち、１つの鉢に１株あるいは株が小さい品種の場合には数株の洋蘭（例えば、デンドロビューム、シンビジューム、デンファレ、オンシジューム等）を植付けた鉢植蘭であっても同様の効果が得られる。また、胡蝶蘭とその他の洋蘭を組合わせた場合も同様である。
【符号の説明】
【００８６】
１      鉢植蘭用箱
２      上面部
３      前面部
４      後面部
５      底面部
６      側面部
１１    左収納穴
１２    中央収納穴
１３    右収納穴
１５    収納穴折曲部
１６    収納穴折曲線
１７    収納穴切込み
１８    仕切部
２１    把手部
２２    把手部折曲部
２５    側面補強部
２６    穴
２７、３１、３２、３３、３４、３５、３６、３７、４６、４７、４８  折曲線
４１、４２  差込部
４３    側面差込部
５１    延長部
５２、５３    挿入穴
１００  １本立ち胡蝶蘭
１１０  鉢部
１１１  鉢本体
１１２  鉢底詰物
１１３  植込み材料
１１７  支持具
１２０  胡蝶蘭
１２１  花茎
１２２  花
２００  箱入り鉢植蘭
【図１】
2020117298.tif 000003
【図２】
2020117298.tif 000004
【図３】
2020117298.tif 000005
【図４】
2020117298.tif 000006
【図５】
2020117298.tif 000007
【図６】
2020117298.tif 000008
【図７】
2020117298.tif 000009
【図８】
2020117298.tif 000010
【図９】
2020117298.tif 000011